(57)【要約】【課題】ベルトの長さおよびベルト使用者の身体サイズに依らず、ベルトの装着時にバックルから突出するベルトの先端部分をベルトの本体と確実に束ねることができるベルト通し環を提供する。【解決手段】上壁２および下壁３と、一対の側壁４とからなる扁平な環状をなす合成樹脂製の本体部１を備える。一対の側壁の内面に、合成樹脂製の突起５が本体部と一体に形成されて、関係する側壁から対向する側壁側に向けて突出する。本体部の下壁と突起によって画成された空間がベルトの本体８の挿通のための第１挿通口６をなし、本体部の上壁と突起によって画成された空間がベルトの先端部分９の挿通のための第２挿通口７をなす。本体部は、ベルトの本体の所望の位置に係止され得る。【選択図】図１
0003207578.tif 000002
【実用新案登録請求の範囲】
【請求項１】
ベルトをバックルに係止した状態で、互いに重なり合う前記ベルトの先端部分と前記ベルトの本体を束ねるためのベルト通し環であって、
平行な上壁および下壁と、前記上壁および前記下壁の側縁同士を接続する一対の側壁とからなる扁平な環状をなす合成樹脂製の本体部と、
前記一対の側壁の内面に前記本体部と一体に形成され、関係する前記側壁から対向する前記側壁側に向かって突出する各１つの合成樹脂製の突起と、を備え、
前記本体部の前記下壁と前記突起によって画成された空間が前記ベルトの本体の挿通のための第１挿通口をなし、前記本体部の前記上壁と前記突起によって画成された空間が前記ベルトの先端部分の挿通のための第２挿通口をなしており、
前記本体部の前記下壁の前記側壁間の内法が前記ベルトの幅に対応する一方、前記本体部の前記上壁の前記側壁間の内法は前記ベルトの幅よりも大きくなっており、かつ、前記本体部の前記側壁の前記下壁および前記突起間の内法が前記ベルトの厚さみ対応する一方、前記本体部の前記側壁の前記上壁および前記突起間の内法は前記ベルトの厚みよりも大きくなっているものであることを特徴とするベルト通し環。
【請求項２】
前記突起の先端部における前記突起および前記下壁間の間隔が、前記突起の基端部における前記突起および前記下壁間の間隔よりも狭くなっていることを特徴とする請求項１に記載のベルト通し環。
【考案の詳細な説明】
【技術分野】
【０００１】
本考案は、ベルトをバックルに係止した状態で、互いに重なり合うベルトの先端部分とベルトの本体を束ねるためのベルト通し環に関するものである。
【背景技術】
【０００２】
従来のベルト通し環は、バックルに固定されまたはベルトのバックル取付端の折り返し部に固定されていて、移動可能にはなっていない（例えば、特許文献１、２参照）。
【０００３】
しかしながら、ベルトの長さが、それを装着する使用者のサイズに常に適合しているとは限らず、そのため、ベルトの装着時にバックルに挿通され、係止されたベルトの先端がバックルから一定程度以上に突出する場合がある。
【０００４】
かかる場合、従来のバックルに固定されまたはバックル付近に固定されたベルト通し環では、ベルトの先端が一定程度以上にバックルから突出する場合に、ベルトの先端部分をベルト本体と束ねることができず、その結果、ベルトの先端部分が外向きに反って邪魔になることがあった。
【先行技術文献】
【特許文献】
【０００５】
【特許文献１】特許第３８９５３１８号公報
【特許文献２】特開平９−２８５３１３号公報
【考案の概要】
【考案が解決しようとする課題】
【０００６】
したがって、本考案の課題は、ベルトの長さおよびベルト使用者の身体サイズに依らず、ベルトの装着時にバックルから突出するベルトの先端部分をベルトの本体と確実に束ねることができるベルト通し環を提供することにある。
【課題を解決するための手段】
【０００７】
上記課題を解決するため、本考案は、ベルトをバックルに係止した状態で、互いに重なり合う前記ベルトの先端部分と前記ベルトの本体を束ねるためのベルト通し環であって、平行な上壁および下壁と、前記上壁および前記下壁の側縁同士を接続する一対の側壁とからなる扁平な環状をなす合成樹脂製の本体部と、前記一対の側壁の内面に前記本体部と一体に形成され、関係する前記側壁から対向する前記側壁側に向かって突出する各１つの合成樹脂製の突起と、を備え、前記本体部の前記下壁と前記突起によって画成された空間が前記ベルトの本体の挿通のための第１挿通口をなし、前記本体部の前記上壁と前記突起によって画成された空間が前記ベルトの先端部分の挿通のための第２挿通口をなしており、前記本体部の前記下壁の前記側壁間の内法が前記ベルトの幅に対応する一方、前記本体部の前記上壁の前記側壁間の内法は前記ベルトの幅よりも大きくなっており、かつ、前記本体部の前記側壁の前記下壁および前記突起間の内法が前記ベルトの厚さみ対応する一方、前記本体部の前記側壁の前記上壁および前記突起間の内法は前記ベルトの厚みよりも大きくなっているものであることを特徴とするベルト通し環を構成したものである。
【０００８】
上記構成において、前記突起の先端部における前記突起および前記下壁間の間隔が、前記突起の基端部における前記突起および前記下壁間の間隔よりも狭くなっていることが好ましい。
【考案の効果】
【０００９】
本考案によれば、ベルト通し環の本体部の第１挿通口にベルトの本体が挿通され、本体部はベルトの本体の所望の位置に係止可能になっている。そして、ベルトが使用者の腰部に装着されてバックルに係止されたとき、バックルから突出するベルトの先端部分が本体部の第２挿通口に挿通される。このとき、ベルトの先端の位置に応じてベルト通し環の本体部の位置が変更され、ベルトの先端部分がベルトの本体と確実に束ねられる。
【図面の簡単な説明】
【００１０】
【図１】本考案の１実施例によるベルト通し環を示す図であり、（Ａ）は斜視図であり、（Ｂ）は端面側から見た図であり、（Ｃ）はベルトに装着した状態を示す斜視図である。
【考案を実施するための形態】
【００１１】
以下、添付図面を参照しつつ、本考案の構成を好ましい実施例に基づいて説明する。
図１Ａは、本考案の１実施例によるベルト通し環の斜視図であり、図１Ｂは、図１Ａのベルト通し環を端面側から見た図であり、図１Ｃは、図１Ａのベルト通し環がベルトに取り付けられた状態を示す斜視図である。
【００１２】
図１Ａおよび図１Ｂを参照して、本考案によれば、平行な上壁２および下壁３と、上壁２および下壁３の側縁同士を接続する一対の側壁４とからなる扁平な環状をなす合成樹脂製の本体部１が備えられる。
さらに、本体部１の側壁４の内面には、合成樹脂製の突起５が、本体部１と一体に形成されて、関係する側壁４から対向する側壁４側に向かって突出している。
この場合、本体部１および突起５を形成する合成樹脂は、一定程度の弾力性を有していることが好ましい。
【００１３】
そして、本体部１の下壁３と突起５によって画成された空間がベルトの本体の挿通のための第１挿通口６をなし、本体１の上壁２と突起５によって画成された空間がベルトの先端部分の挿通のための第２挿通口７をなしている。
【００１４】
また、本体部１の下壁３の側壁４間の内法Ｗ１がベルトの幅に対応する一方、上壁２の側壁４間の内法Ｗ２はベルトの幅よりも大きくなっている。また、本体部１の側壁４の下壁３および突起５間の内法Ｈ１がベルトの厚さみ対応する一方、側壁４の上壁および突起５間の内法Ｈ２はベルトの厚みよりも大きくなっている。
さらに、突起５の先端部における突起５および下壁３間の間隔は、突起５の基端部における突起５および下壁３間の間隔よりも小さくなっている。
【００１５】
こうして、図１Ｃに示すように、ベルト通し環の本体部１の第１挿通口６にベルトの本体８が挿通される。このとき、突起５の先端部における突起５および下壁３間の間隔が、突起５の基端部における突起５および下壁３間の間隔よりも狭くなっていること、および本体部１と突起５が合成樹脂製であることから、ベルトの本体８は突起５および本体部１の下壁３間に適度の力でもって挟持され、それによって、ベルト通し環の本体部１はベルトの本体８の所望の位置に係止可能とされる。
なお、突起５の全長にわたって突起５および下壁３間の間隔を一定としても、当該間隔はベルトの厚さに対応しており、よって、本体部１をベルトの本体８の所望の位置に係止することは可能である。
【００１６】
そして、ベルトが使用者の腰部に装着されてバックル１０に係止されたとき、バックルから突出するベルトの先端部分９がベルト通し環の本体部１の第２挿通口７に挿通される。このとき、ベルトの先端の位置に応じてベルト通し環の本体部１の位置を変更することによって、ベルトの先端部分９をベルトの本体８と確実に束ねることができる。
【符号の説明】
【００１７】
１  本体部
２  上壁
３  下壁
４  側壁
５  突起
６  第１挿通口
７  第２挿通口
８  ベルトの本体
９  ベルトの先端部分
１０  バックル
Ｗ１  下壁の側壁間の内法
Ｗ２  上壁の側壁間の内法
Ｈ１  側壁の下壁および突起間の内法
Ｈ２  側壁の上壁および突起間の内法
【図１】
0003207578.tif 000003